(57)【要約】【課題】ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がＴＴＩ（Ｔｉｍｅ  Ｔｒａｎｓｍｉｓｓｉｏｎ  Ｉｎｔｅｒｖａｌ：送信時間間隔）バンドルを送信するための方法および装置を提供する。【解決手段】ＴＴＩバンドルは測定ギャップと衝突し、ＷＴＲＵは、複数のサブ−フレームを備えるＴＴＩバンドルを構成し、複数のサブ−フレームの内の少なくとも１つが測定ギャップと衝突していることを判定し、測定ギャップと衝突していない複数のサブ−フレームの一番目を決定し、測定ギャップと衝突していない複数のサブ−フレームの一番目を第１のＲＶ（Ｒｅｄｕｎｄａｎｃｙ  Ｖｅｒｓｉｏｎ：冗長バージョン）に関連付け、そして第１のＲＶに関連付けられた複数のサブ−フレームの一番目を送信するように構成される。【選択図】図６
2014078988.tif 000002
【特許請求の範囲】
【請求項１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がＴＴＩ（Ｔｒａｎｓｍｉｓｓｉｏｎ  Ｔｉｍｅ  Ｉｎｔｅｒｖａｌ：送信時間間隔）バンドルを送信する方法であって、前記ＴＴＩバンドルの一部が測定ギャップと衝突し、前記方法は、
複数のサブ−フレームを備えるＴＴＩバンドルを構成するステップと、
前記複数のサブ−フレームの内の少なくとも１つが測定ギャップと衝突していることを判定するステップと、
前記測定ギャップと衝突していない前記複数のサブ−フレームの１番目を決定するステップと、
前記測定ギャップと衝突していない前記複数のサブ−フレームの前記１番目を第１のＲＶ（Ｒｅｄｕｎｄａｎｃｙ  Ｖｅｒｓｉｏｎ：冗長バージョン）に関連付けるステップと、
前記第１のＲＶに関連付けられた前記複数のサブ−フレームの前記１番目を送信するステップと
を備えることを特徴とする方法。
【請求項２】
前記測定ギャップと衝突していない前記複数のサブ−フレームの２番目を決定するステップと、
前記測定ギャップと衝突していない前記複数のサブ−フレームの前記２番目を第２のＲＶに関連付けるステップと、
前記第２のＲＶに関連付けられた前記複数のサブ−フレームの前記２番目を送信するステップと
をさらに備えることを特徴とする請求項１に記載の方法。
【請求項３】
前記複数のサブ−フレームの前記１番目の後に前記複数のサブ−フレームの前記２番目を送信するステップをさらに備えることを特徴とする請求項２に記載の方法。
【発明の詳細な説明】
【技術分野】
【０００１】
本願は、無線通信に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）のＬＴＥ（Ｌｏｎｇ  Ｔｅｒｍ  Ｅｖｏｌｕｔｉｏｎ：長期進化型）無線通信システムにおいては、ＴＴＩ（Ｔｒａｎｓｍｉｓｓｉｏｎ  Ｔｉｍｅ  Ｉｎｔｅｒｖａｌ：送信時間間隔）バンドリングが、ＵＬ（ＵｐＬｉｎｋ：アップリンク）通信に使用され、セルの端近くのＷＴＲＵ（Ｗｉｒｅｌｅｓｓ  Ｔｒａｎｓｍｉｔ  Ｒｅｃｅｉｖｅ  Ｕｎｉｔ：無線送受信ユニット）に対する通信可能範囲を改良する。ＬＴＥのＦＤＤ（Ｆｒｅｑｕｅｎｃｙ  Ｄｉｖｉｓｉｏｎ  Ｄｕｐｌｅｘ：周波数分割複信）システムに対しては、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理およびＨＡＲＱ処理に関連付けられたＲＶ（Ｒｅｄｕｎｄａｎｃｙ  Ｖｅｒｓｉｏｎ：冗長バージョン）がバンドルされ、例えば４つなどの、固定数の連続したＴＴＩにおいて送信される。
【０００３】
図１は、従来技術によるアップリンクＴＴＩバンドリング１００の方法を示す。ＨＡＲＱ  ＲＴＴ時間１０２は、ＤＬ（ＤｏｗｎＬｉｎｋ：ダウンリンク）ＨＡＲＱ再送信がＷＴＲＵによって予想されるまでのサブ−フレームの最小数である。図１に示されるように、データ１１０は、サブ−フレーム１（１０２）、サブ−フレーム２（１０４）、サブ−フレーム３（１０６）、およびサブ−フレーム４（１０８）において送信される。サブ−フレーム４（１０８）に対するＮＡＣＫ（Ｎｅｇａｔｉｖｅ  ＡＣＫｎｏｗｌｅｄｇｅ：否定応答信号）１１２が、サブ−フレーム８（１１４）においてＷＴＲＵによって受信される。次にＷＴＲＵは、ＲＴＴ時間１０２の後の４つのサブ−フレーム（１１６〜１２２）において、ＮＡＣＫされたサブ−フレーム、サブ−フレーム４（１０８）を再送信する。
【０００４】
接続モード（ｃｏｎｎｅｃｔｅｄ  ｍｏｄｅ）である時には、ＷＴＲＵは測定ギャップを使用し、アクティブな通信を停止し、可能性のあるハンドオーバーのために隣接セルの測定を行う。測定ギャップは、ｅＮＢ（ｅＮｏｄｅＢ：ｅノードＢ）によってスケジュールされる。ｅＮＢは、ＨＡＲＱ処理の一部としてサブ−フレームをＷＴＲＵが再送信する必要があるという可能性に対する配慮無しで測定ギャップをスケジュールすることができる。したがってｅＮＢは、ＷＴＲＵがＮＡＣＫに起因して再送信する同時刻に、ＷＴＲＵに対する測定ギャップをスケジュールすることができる。それが生起すると、ＴＴＩバンドルが測定ギャップと重畳する場合があり、ＷＴＲＵは、２つの互いに排他的な処理を実行することを要求される場合がある。図２は従来技術による、ＴＴＩバンドル２００と重畳する測定ギャップを示す。測定ギャップ２０２は、ＴＴＩバンドル２０６のサブ−フレーム１（２０４）と重畳する。ＷＴＲＵは、ＨＡＲＱ再送信および測定を同時に実行することができないため、ＴＴＩバンドル２０６の一部分のみが送信される場合がある。
【発明の概要】
【０００５】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が測定ギャップと衝突するＴＴＩ（Ｔｉｍｅ  Ｔｒａｎｓｍｉｓｓｉｏｎ  Ｉｎｔｅｒｖａｌ：送信時間間隔）バンドルを送信するための方法および装置が開示される。ＷＴＲＵは、複数のサブ−フレームを含むＴＴＩバンドルを構成し、少なくとも１つのサブ−フレームが測定ギャップと衝突していることを判定し、そして少なくとも１つのサブ−フレームが測定ギャップと衝突していないことを判定することができる。次にＷＴＲＵは、第１の衝突していないサブ−フレームを第１のＲＶ（Ｒｅｄｕｎｄａｎｃｙ  Ｖｅｒｓｉｏｎ：冗長バージョン）に、第２の衝突していないサブ−フレーム、もし存在するなら、を第２のＲＶに、そして第３の衝突していないサブ−フレーム、もし存在するなら、を第３のＲＶに、関連付けることができる。衝突していないサブ−フレームは送信され、衝突しているサブ−フレームは送信されない。
【図面の簡単な説明】
【０００６】
本明細書にて添付図面に関連して例として与えられる以下の説明から、より詳細な理解を得ることができる。
【図１】従来技術による、アップリンクＴＴＩバンドリングの方法を示す図である。
【図２】従来技術による、ＴＴＩバンドルと重畳する測定ギャップを示す図である。
【図３】複数のＷＴＲＵおよびｅＮＢ（ｅ  Ｎｏｄｅ  Ｂ：ｅノードＢ）を含む無線通信システムを示す図である。
【図４】図３の無線通信システムのＷＴＲＵおよびｅＮＢの機能的ブロック図である。
【図５】一実施形態による、ＴＴＩバンドルを示す図である。
【図６】一実施形態による、重畳した最初のサブ−フレームを伴うＴＴＩバンドルを送信する方法を示す図である。
【図７】一実施形態による、重畳した最後のサブ−フレームを伴うＴＴＩバンドルを送信するための方法を示す図である。
【図８】一実施形態による、重畳した最初の２つのサブ−フレームを伴うＴＴＩバンドルを送信するための方法を示す図である。
【図９】一実施形態による、重畳した最後の２つのサブ−フレームを伴うＴＴＩバンドルを送信するための方法を示す図である。
【図１０】一実施形態による、重畳した最初の３つのサブ−フレームを伴うＴＴＩバンドルを送信するための方法を示す図である。
【図１１】一実施形態による、重畳した最後の３つのサブ−フレームを伴うＴＴＩバンドルを送信するための方法を示す図である。
【発明を実施するための形態】
【０００７】
本明細書において言及される際に、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。本明細書において言及される際に、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【０００８】
図３は、複数のＷＴＲＵ３１０およびｅＮＢ（ｅ  Ｎｏｄｅ  Ｂ：ｅノードＢ）３２０を含む無線通信システム３００を示す。図３において示されるように、ＷＴＲＵ３１０はｅＮＢ３２０と通信状態にある。図３においては３つのＷＴＲＵ３１０および１つのｅＮＢ３２０が示されるが、無線通信システム３００においては無線のそして有線のデバイスの如何なる組み合わせをも含むことができることに注意するべきである。
【０００９】
図４は、図３の無線通信システム３００のＷＴＲＵ３１０およびｅＮＢ３２０の機能的ブロック図４００である。図３に示されるように、ＷＴＲＵ３１０はｅＮＢ３２０と通信状態にある。ＷＴＲＵ３１０は、必要に応じて測定を実行するように構成される。ＷＴＲＵ３１０が接続モードにあるなら、ＷＴＲＵ３１０は、測定ギャップの間に測定手順を実行するように構成される。ＷＴＲＵ３１０はまた、ＴＴＩバンドルにグループ化されたサブ−フレームにおいて信号を送信するように構成される。
【００１０】
典型的なＷＴＲＵにおいて見出すことができる構成要素に加えて、ＷＴＲＵ３１０は、プロセッサ４１５、受信機４１６、送信機４１７、およびアンテナ４１８を含む。ＷＴＲＵ３１０はまた、限定的ではなく、ＬＣＤまたはＬＥＤスクリーン、タッチ・スクリーン、キーボード、スタイラス、または他の如何なる典型的な入力／出力デバイスをも含むことができるユーザー・インターフェイス４２１を含むことができる。ＷＴＲＵ３１０はまた、揮発性そして不揮発性の両方のメモリ４１９、並びにＵＳＢポート、シリアル・ポート、および同様のものなどの、他のＷＴＲＵのインターフェイスへのインターフェイス４２０を含むことができる。受信機４１６および送信機４１７はプロセッサ４１５と通信状態にある。アンテナ４１８は、受信機４１６および送信機４１７の両方と通信状態にあり、無線データの送信および受信を容易にする。
【００１１】
典型的なｅＮＢにおいて見出すことができる構成要素に加えて、ｅＮＢ３２０は、プロセッサ４２５、受信機４２６、送信機４２７、およびアンテナ４２８を含む。受信機４２６および送信機４２７はプロセッサ４２５と通信状態にある。アンテナ４２８は、受信機４２６および送信機４２７の両方と通信状態にあり、無線データの送信および受信を容易にする。
【００１２】
図５は、一実施形態によるＴＴＩバンドル５００を示す。１つのＴＴＩバンドル５００の送信中において、異なったＲＶ（Ｒｅｄｕｎｄａｎｃｙ  Ｖｅｒｓｉｏｎ：冗長バージョン）を使用し、またはそれに関連付けられた、４つの連続したサブ−フレーム上にて同一データが送信される。
【００１３】
ＲＶは、循環型バッファにおいてビットの読み出しを開始するための開始点を指定する。それぞれのＲＶは、それぞれの開始点を定義することによって指定され、ＨＡＲＱ動作を可能にする。第１の送信のためにＲＶ０を選択することができ、これが可能な限り多くの組織ビット（ｓｙｓｔｅｍａｔｉｃ  ｂｉｔ）の送信を可能にする。同一パケットの再送信のために種々のＲＶを選択して、様々の種別のＨＡＲＱ結合を対応することができる。ＴＴＩバンドリングのためにいくつかのＲＶシーケンスを使用することができる。例えば、ＲＶ０、ＲＶ２、ＲＶ３、およびＲＶｌのシーケンスを使用することができる。別の例として、ＲＶ０、ＲＶｌ、ＲＶ２、およびＲＶ３のシーケンスを使用することができる。一般に、ＲＶ０がほとんどの組織ビットを含むなら、ＲＶ０により開始する何れかのシーケンスを使用することができる。本明細書において使用されるように、ｉ＝ｌ、２、３、または４であるＲＶｉはインデックスであり、そして何れのＲＶをも参照することができる。例えばＲＶ１がＲＶ３を参照することができる。
【００１４】
図５に戻って、第１のサブ−フレーム５０２は、ＲＶ０に関連付けられたデータを含む。ＲＶ０は、ほとんどの組織ビットを含む。第２のサブ−フレーム５０４は、ＲＶ１に関連付けられたデータを含む。第３のサブ−フレーム５０６は、ＲＶ２に関連付けられたデータを含み、そして第３のサブ−フレーム５０８は、ＲＶ３に関連付けられたデータを含む。ＴＴＩバンドル５００の少なくとも一部が測定ギャップと重畳するとき、測定ギャップと重畳するＴＴＩバンドル５００のその部分は送信されないことになる。ＴＴＩバンドル５００の重畳していない部分は送信されることになる。
【００１５】
１つのサブ−フレームが測定ギャップと重畳するとき、ＲＶシーケンス｛ｒｖ０、ｒｖ１、ｒｖ２）を、測定ギャップによって重畳しないサブ−フレームのために使用することができる。最初のサブ−フレームが重畳するか、または最後のサブ−フレームが重畳したとき、ＲＶシーケンスを使用することができる。図６は、一実施形態による、重畳した最初のサブ−フレームを伴うＴＴＩバンドル６００を送信する方法を示す。測定ギャップ６０２は最初のサブ−フレーム６０４と重畳する。したがって、重畳した最初のサブ−フレーム６０４は送信されない。第２のサブ−フレーム６０６が送信される最初のサブ−フレームとなり、そしてＲＶ０に関連付けられたデータを含む。第３のサブ−フレーム６０８および第４のサブ−フレーム６１０は共にまた送信され、それぞれＲＶ１およびＲＶ２に関連付けられたデータを含む。
【００１６】
図７は、一実施形態による、重畳した最後のサブ−フレームを伴うＴＴＩバンドル６００を送信する方法を示す。図７においては、測定ギャップ７０２はＴＴＩバンドルの第４のサブ−フレーム７０４と重畳する。したがって、ＴＴＩバンドルの第４のサブ−フレーム７０４は送信されない。ＴＴＩバンドルの最初のサブ−フレーム７０６は、ＲＶ０に関連付けられたデータを含み、ＴＴＩバンドルの第２のサブ−フレーム７０８は、ＲＶ１に関連付けられたデータを含み、そしてＴＴＩバンドルの第３のサブ−フレーム７１０は、ＲＶ２に関連付けられたデータを含む。第１のサブ−フレーム７０６、第２のサブ−フレーム７０８、および第３のサブ−フレーム７１０は送信される。
【００１７】
ＴＴＩバンドル中の４つのサブ−フレームの内の２つが測定ギャップと重畳する場合がある。図８は、一実施形態による、重畳した最初の２つのサブ−フレームを伴うＴＴＩバンドル６００を送信するための方法を示す。測定ギャップ８０２は、２つのサブ−フレーム、第１のサブ−フレーム８０４および第２のサブ−フレーム８０６と重畳する。最初のサブ−フレーム８０４および第２のサブ−フレーム８０６は送信されない。第３のサブ−フレーム８０８は、ＲＶ０に関連付けられたデータを含み、そして最初に送信される。第４のサブ−フレーム８１０は、ＲＶ１に関連付けられたデータを含み、そして２番目に送信される。ＲＶシーケンス｛ｒｖ０、ｒｖ１｝は、測定ギャップにより影響を受けないＴＴＩのために使用される。
【００１８】
図９は、一実施形態による、重畳した最後の２つのサブ−フレームを伴うＴＴＩバンドル６００を送信するための方法を示す。測定ギャップ９０２は、２つのサブ−フレーム、最後のサブ−フレーム９０４および最後から２番目のサブ−フレーム９０６と重畳する。最後のサブ−フレーム９０４および最後から２番目のサブ−フレーム９０６は送信されない。最初のサブ−フレーム９０８は、ＲＶ０に関連付けられたデータを含み、最初に送信される。第２のＴＴＩサブ−フレーム９１０は、ＲＶ１に関連付けられたデータを含み、２番目に送信される。ＲＶシーケンス｛ｒｖ０、ｒｖ１｝はこの場合にも、測定ギャップにより影響を受けないサブ−フレームのために使用される。あるいはまた、２つのサブ−フレームが測定ギャップと重畳したとき、ＲＶシーケンス｛ｒｖ２、ｒｖ３｝を使用することができる。
【００１９】
３つのサブ−フレームが測定ギャップと重畳したなら、測定ギャップにより影響を受けないサブ−フレームのためにＲＶ０を選択することができる。図１０は、一実施形態による、重畳した最初の３つのサブ−フレームを伴うＴＴＩバンドル６００を送信するための方法を示す。測定ギャップ１００２は、３つのサブ−フレーム、最初のサブ−フレーム１００４、第２のサブ−フレーム１００６、および第３のサブ−フレーム１００８と重畳する。これらのサブ−フレームは送信されない。最後のサブ−フレーム１０１は、ＲＶ０に関連付けられたデータを含み、送信される。ＲＶシーケンス｛ｒｖ０｝は、測定ギャップにより影響を受けないＴＴＩのために使用される。
【００２０】
図１１は、一実施形態による、重畳した最後の３つのサブ−フレームを伴うＴＴＩバンドル６００を送信するための方法を示す。測定ギャップ１１０２は、３つのサブ−フレーム、第２のサブ−フレーム１１０６、第３のサブ−フレーム１１０８、および第４のサブ−フレーム１１１０と重畳する。これらのサブ−フレームは送信されない。第１のサブ−フレーム１１０４は、ＲＶ０に関連付けられたデータを含み、送信される。ＲＶシーケンス｛ｒｖ０｝は、測定ギャップにより影響を受けないＴＴＩのために使用される。
【００２１】
あるいはまた、ＴＴＩバンドルの一部が測定ギャップと重畳したときには、ＴＴＩバンドル送信をキャンセルすることができる。ｋが１〜４の間の整数であって、ＴＴＩバンドルの内の任意のｋ個のサブ−フレームが測定ギャップと重畳するなら、ＴＴＩバンドルの送信をキャンセルすることができる。
【００２２】
（実施形態）
１．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がＴＴＩ（Ｔｉｍｅ  Ｔｒａｎｓｍｉｓｓｉｏｎ  Ｉｎｔｅｒｖａｌ：送信時間間隔）バンドルを送信する方法であって、前記ＴＴＩバンドルの一部が測定ギャップと衝突し、前記方法は、複数のサブ−フレームを備えるＴＴＩバンドルを構成するステップと、前記複数のサブ−フレームの内の少なくとも１つが測定ギャップと衝突していることを判定するステップと、前記測定ギャップと衝突していない前記複数のサブ−フレームの１番目を決定するステップと、前記測定ギャップと衝突していない前記複数のサブ−フレームの前記１番目を第１のＲＶ（Ｒｅｄｕｎｄａｎｃｙ  Ｖｅｒｓｉｏｎ：冗長バージョン）に関連付けるステップと、前記第１のＲＶに関連付けられた前記複数のサブ−フレームの前記１番目を送信するステップとを備えることを特徴とする方法。
【００２３】
２．前記測定ギャップと衝突していない前記複数のサブ−フレームの２番目を決定するステップと、前記測定ギャップと衝突していない前記複数のサブ−フレームの前記２番目を第２のＲＶに関連付けるステップと、前記第２のＲＶに関連付けられた前記複数のサブ−フレームの前記２番目を送信するステップとをさらに備えることを特徴とする実施形態１に記載の方法。
【００２４】
３．前記複数のサブ−フレームの前記１番目の後に前記複数のサブ−フレームの前記２番目を送信するステップをさらに備えることを特徴とする実施形態２に記載の方法。
【００２５】
４．前記測定ギャップと衝突している前記複数のサブ−フレームの内の前記少なくとも１つの送信を回避するステップをさらに備えることを特徴とする実施形態１、２，または３に記載の方法。
【００２６】
５．最初の２つのサブ−フレームが前記測定ギャップと衝突していることを判定するステップと、前記最初の２つのサブ−フレームの送信を回避するステップと、第３のサブ−フレームを前記第１の冗長バージョンに、および第４のサブ−フレームを第２の冗長バージョンに関連付けるステップと、前記第３のサブ−フレームおよび前記第４のサブ−フレームを送信するステップとをさらに備えることを特徴とする実施形態１〜４の何れかに記載の方法。
【００２７】
６．最初の３つのサブ−フレームが前記測定ギャップと衝突していることを判定するステップと、前記最初の３つのサブ−フレームの送信を回避するステップと、第４のサブ−フレームを前記第１の冗長バージョンに関連付けるステップと、前記第４のサブ−フレームを送信するステップとをさらに備えることを特徴とする実施形態１〜４の何れかに記載の方法。
【００２８】
７．最後の２つのサブ−フレームが前記測定ギャップと衝突していることを判定するステップと、前記最後の２つのサブ−フレームの送信を回避するステップとをさらに備えることを特徴とする実施形態１〜４の何れかに記載の方法。
【００２９】
８．最後の３つのサブ−フレームが前記測定ギャップと衝突していることを判定するステップと、前記最後の３つのサブ−フレームの送信を回避するステップとをさらに備えることを特徴とする実施形態１〜４の何れかに記載の方法。
【００３０】
９．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がＴＴＩ（Ｔｉｍｅ  Ｔｒａｎｓｍｉｓｓｉｏｎ  Ｉｎｔｅｒｖａｌ：送信時間間隔）バンドルを送信する方法であって、前記ＴＴＩバンドルの一部が測定ギャップと衝突し、前記方法は、複数のサブ−フレームを備えるＴＴＩバンドルを構成するステップと、前記複数のサブ−フレームの内の少なくとも１つが測定ギャップと衝突していることを判定するステップと、前記測定ギャップと衝突していない前記複数のサブ−フレームの１番目を決定するステップと、前記測定ギャップと衝突していない前記複数のサブ−フレームの前記１番目を第１のＲＶ（Ｒｅｄｕｎｄａｎｃｙ  Ｖｅｒｓｉｏｎ：冗長バージョン）に関連付けるステップと、前記測定ギャップと衝突していない前記複数のサブ−フレームの２番目を決定するステップと、前記測定ギャップと衝突していない前記複数のサブ−フレームの前記２番目を第２のＲＶに関連付けるステップと、前記第１のＲＶに関連付けられた前記複数のサブ−フレームの前記１番目、および前記第２のＲＶに関連付けられた前記複数のサブ−フレームの前記２番目を送信するステップと、前記測定ギャップと衝突している前記複数のサブ−フレームの内の前記少なくとも１つの送信を回避するステップとを備えることを特徴とする方法。
【００３１】
１０．ＴＴＩ（Ｔｉｍｅ  Ｔｒａｎｓｍｉｓｓｉｏｎ  Ｉｎｔｅｒｖａｌ：送信時間間隔）バンドルを送信するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、前記ＴＴＩバンドルの一部が測定ギャップと衝突し、前記ＷＴＲＵは、プロセッサであって、複数のサブ−フレームを備えるＴＴＩバンドルを構成し、前記複数のサブ−フレームの内の少なくとも１つが測定ギャップと衝突していることを判定し、前記測定ギャップと衝突していない前記複数のサブ−フレームの１番目を決定し、前記測定ギャップと衝突していない前記複数のサブ−フレームの前記１番目を第１のＲＶ（Ｒｅｄｕｎｄａｎｃｙ  Ｖｅｒｓｉｏｎ：冗長バージョン）に関連付けるように構成される、プロセッサと、前記第１のＲＶに関連付けられた前記複数のサブ−フレームの前記１番目を送信するように構成される送信機とを備えることを特徴とするＷＴＲＵ。
【００３２】
１１．前記プロセッサは、前記測定ギャップと衝突していない前記複数のサブ−フレームの２番目を決定し、前記測定ギャップと衝突していない前記複数のサブ−フレームの前記２番目を第２のＲＶに関連付けるようにさらに構成され、前記送信機は、前記第２のＲＶに関連付けられた前記複数のサブ−フレームの前記２番目を送信するようにさらに構成されることを特徴とする実施形態１０に記載のＷＴＲＵ。
【００３３】
１２．前記送信機は、前記複数のサブ−フレームの前記１番目の後、前記複数のサブ−フレームの前記２番目を送信するようにさらに構成されることを特徴とする実施形態１１に記載のＷＴＲＵ。
【００３４】
１３．前記プロセッサは、前記測定ギャップと衝突している前記複数のサブ−フレームの内の前記少なくとも１つの送信を回避するようにさらに構成されることを特徴とする実施形態１２に記載のＷＴＲＵ。
【００３５】
１４．前記プロセッサは、最初の２つのサブ−フレームが前記測定ギャップと衝突していることを判定し、前記最初の２つのサブ−フレームの送信を回避し、第３のサブ−フレームを前記第１の冗長バージョンに、および第４のサブ−フレームを第２の冗長バージョンに関連付けるようにさらに構成され、前記送信機は、前記第３のサブ−フレームおよび前記第４のサブ−フレームを送信するようにさらに構成されることを特徴とする実施形態１０〜１３の何れかに記載のＷＴＲＵ。
【００３６】
１５．前記プロセッサは、最初の３つのサブ−フレームが前記測定ギャップと衝突していることを判定し、前記最初の３つのサブ−フレームの送信を回避し、第４のサブ−フレームを前記第１の冗長バージョンに関連付けるようにさらに構成され、前記送信機は、前記第４のサブ−フレームを送信するようにさらに構成されることを特徴とする実施形態１０〜１３の何れかに記載のＷＴＲＵ。
【００３７】
１６．前記プロセッサは、最後の２つのサブ−フレームが前記測定ギャップと衝突していることを判定し、前記最後の２つのサブ−フレームの送信を回避するようにさらに構成されることを特徴とする実施形態１０〜１３の何れかに記載のＷＴＲＵ。
【００３８】
１７．前記プロセッサは、最後の３つのサブ−フレームが前記測定ギャップと衝突していることを判定し、前記最後の３つのサブ−フレームの送信を回避するようにさらに構成されることを特徴とする実施形態１０に記載のＷＴＲＵ。
【００３９】
１８．ＴＴＩ（Ｔｉｍｅ  Ｔｒａｎｓｍｉｓｓｉｏｎ  Ｉｎｔｅｒｖａｌ：送信時間間隔）バンドルを送信するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、前記ＴＴＩバンドルの一部が測定ギャップと衝突し、前記ＷＴＲＵは、プロセッサであって、複数のサブ−フレームを備えるＴＴＩバンドルを構成し、前記複数のサブ−フレームの内の少なくとも１つが測定ギャップと衝突していることを判定し、前記測定ギャップと衝突していない前記複数のサブ−フレームの１番目を決定し、前記測定ギャップと衝突していない前記複数のサブ−フレームの前記１番目を第１のＲＶ（Ｒｅｄｕｎｄａｎｃｙ  Ｖｅｒｓｉｏｎ：冗長バージョン）に関連付け、前記測定ギャップと衝突していない前記複数のサブ−フレームの２番目を決定し、前記測定ギャップと衝突していない前記複数のサブ−フレームの前記２番目を第２のＲＶに関連付け、前記測定ギャップと衝突している前記複数のサブ−フレームの内の前記少なくとも１つの送信を回避するように構成される、プロセッサと、前記第１のＲＶに関連付けられた前記複数のサブ−フレームの前記１番目および前記第２のＲＶに関連付けられた前記複数のサブ−フレームの前記２番目を送信するように構成される送信機とを備えることを特徴とするＷＴＲＵ。
【００４０】
本発明の特徴および要素が特定の組み合わせにて記述されているが、それぞれの特徴または要素は、本発明の他の特徴および要素なしで単独にて、または本発明の他の特徴および要素のあるなしに拘わらず様々な組み合わせにて使用可能である。
【００４１】
本発明が好適な実施形態に関して説明されて来たが、当業者にとっては本発明の範囲の中にある他の変形は自明であろう。
【００４２】
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたはプロセッサによる実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００４３】
適当なプロセッサの例としては、汎用目的プロセッサ、専用目的プロセッサ、従来のプロセッサ、ＤＳＰ（Ｄｉｇｉｔａｌ  Ｓｉｇｎａｌ  Ｐｒｏｃｅｓｓｏｒ：デジタル信号プロセッサ）、複数のマイクロプロセッサ、ＤＳＰコアに関連付けられた１つまたは複数のマイクロプロセッサ、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００４４】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられたプロセッサを使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域）モジュールなどのモジュールと連動して使用することができる。
【図１】
2014078988.tif 000003
【図２】
2014078988.tif 000004
【図３】
2014078988.tif 000005
【図４】
2014078988.tif 000006
【図５】
2014078988.tif 000007
【図６】
2014078988.tif 000008
【図７】
2014078988.tif 000009
【図８】
2014078988.tif 000010
【図９】
2014078988.tif 000011
【図１０】
2014078988.tif 000012
【図１１】
2014078988.tif 000013